(57)【要約】【課題】読み取り装置が移動する方式の電子黒板装置において、ケーブルの引き回しのための部品点数を削減するとともに電気的な信頼性を強化した電子黒板装置の提供を目的とする。【解決手段】アッパーフレーム２ａ、ボトムフレーム２ｂおよびこれらの間を連結するミドルフレーム２ｃにより構成されるフレーム２内に固定された筆記媒体３上の画像を読み取り装置が移動して読み取り、この読み取った電気信号をアッパーフレーム２ａからボトムフレーム２ｂまで引き回されたケーブル７により送る方式の電子黒板装置１において、ミドルフレーム２ｃが、ケーブル７を内部に収容可能な筒形状の部材により形成されたものであり、ケーブル７が、ミドルフレーム２ｃの内部に収容されたものである。【選択図】図５
2007268903.tif 000002
【特許請求の範囲】
【請求項１】
アッパーフレーム、ボトムフレームおよびこれらの間を連結するミドルフレームにより構成されるフレーム内に固定された筆記媒体上の画像を読み取り装置が移動して読み取り、この読み取った電気信号を前記アッパーフレームから前記ボトムフレームまで引き回されたケーブルにより送る方式の電子黒板装置において、
前記ミドルフレームが、前記ケーブルを内部に収容可能な筒形状の部材により形成されたものであり、前記ケーブルが、前記ミドルフレームの内部に収容されたものであることを特徴とする電子黒板装置。
【発明の詳細な説明】
【技術分野】
【０００１】
本発明は、読み取り装置が移動して筆記媒体上の画像を読み取る方式の電子黒板装置に関する。
【背景技術】
【０００２】
筆記媒体上の画像を光学的に読み取って電気信号に変換する読み取り装置を備えた電子黒板装置が知られている。この種の電子黒板装置は、例えば、（特許文献１，２）に記載のようにループ状の筆記媒体を移動させ、フレームに固定した読み取り装置により読み取る方式のものや、筆記媒体は移動させずに、フレームによって走行可能に支持された読み取り装置を移動させて読み取る方式のものがある。そして、前者の場合、読み取り装置は移動しないので、この読み取り装置の配線処理は容易に行えるが、後者の場合、読み取り装置が移動するので、配線処理は困難である。
【０００３】
図７は従来の読み取り装置が移動する方式の電子黒板装置の正面図、図８は従来の読み取り装置が移動する方式の電子黒板装置を左後方斜め上からみた斜視図、図９は図７のＢ−Ｂ線断面図である。
【０００４】
図７に示す従来の読み取り装置１００は、アッパーフレーム１０１ａ、ボトムフレーム１０１ｂ、ミドルフレーム１０１ｃ，１０１ｄから構成されるフレーム１０１に筆記媒体１０２が固定されており、この筆記媒体１０２上の画像を読み取り装置１０３が移動して読み取って電気信号に変換する。この電気信号は、ボトムフレーム１０１ｂに固定された操作部１０４の中の制御基板（図示せず。）に送られる。
【０００５】
この種の電子黒板装置では、読み取り装置１００が移動するため、この読み取り装置１００から操作部１０４の中の制御基板まで電気信号を送るケーブルは、アッパーフレーム１０１ａ上で移動可能に配置されている。そして、図８に示すように、このアッパーフレーム１０１ａ上のケーブル１０５は、アッパーフレーム１０１ａからミドルフレーム１０１ｃの裏面を通って、操作部１０４の中まで引き回されている。また、図９に示すように、ミドルフレーム１０１ｃの裏面を引き回されたケーブル１０５は、保護のために樹脂製のカバー１０６で覆われる。
【特許文献１】特開昭６２−２８００９５号公報
【特許文献２】特開昭６３−１６５１８９号公報
【発明の開示】
【発明が解決しようとする課題】
【０００６】
このように、従来、読み取り装置１００が移動する方式の電子黒板装置では、アッパーフレーム１０２上にケーブル１０５が配置され、アッパーフレーム１０１ａからボトムフレーム１０１ｂまで引き回す必要があり、保護のために樹脂製のカバー１０６で覆っているので、部品点数が多くなっている。また、ケーブル１０５はカバー１０６で覆っているものの、このカバー１０６が樹脂製であるため強度的に弱く、カバー１０６ごと中のケーブル１０５を破損する可能性があり、電気的な信頼性が弱い。
【０００７】
そこで、本発明においては、読み取り装置が移動する方式の電子黒板装置において、ケーブルの引き回しのための部品点数を削減するとともに電気的な信頼性を強化した電子黒板装置を提供することを目的とする。
【課題を解決するための手段】
【０００８】
上記課題を解決するため、本発明の電子黒板装置は、アッパーフレーム、ボトムフレームおよびこれらの間を連結するミドルフレームにより構成されるフレーム内に固定された筆記媒体上の画像を読み取り装置が移動して読み取り、この読み取った電気信号をアッパーフレームからボトムフレームまで引き回されたケーブルにより送る方式の電子黒板装置において、ミドルフレームが、ケーブルを内部に収容可能な筒形状の部材により形成されたものであり、ケーブルが、ミドルフレームの内部に収容されたものであることを特徴とする。
【発明の効果】
【０００９】
本発明によれば、ケーブルがミドルフレームに収容され、保護されるので、従来の樹脂製のカバーが不要となり、ケーブルの引き回しのための部品点数を削減できるとともに、電気的な信頼性が強化された電子黒板装置が得られる。
【発明を実施するための最良の形態】
【００１０】
本発明の請求項１の発明は、アッパーフレーム、ボトムフレームおよびこれらの間を連結するミドルフレームにより構成されるフレーム内に固定された筆記媒体上の画像を読み取り装置が移動して読み取り、この読み取った電気信号をアッパーフレームからボトムフレームまで引き回されたケーブルにより送る方式の電子黒板装置において、ミドルフレームが、ケーブルを内部に収容可能な筒形状の部材により形成されたものであり、ケーブルが、ミドルフレームの内部に収容されたものであることを特徴とする電子黒板装置であり、ケーブルがミドルフレームに収容され、保護されるので、従来の樹脂製のカバーが不要となり、ケーブルの引き回しのための部品点数を削減できるとともに、電気的な信頼性が強化された電子黒板装置が得られる。
【００１１】
以下、本発明の実施の形態について、図面を参照して説明する。
【００１２】
図１は本発明の実施の形態における電子黒板装置の正面図、図２は本発明の実施の形態における電子黒板装置の左側面図、図３は図１のＡ−Ａ線断面図、図４は図３のカバーを外した状態を示すＡ−Ａ線断面図、図５は図１の電子黒板装置を図３のカバーを外した状態で左前方斜め上からみた斜視図、図６は図１の電子黒板装置を図３のカバーを外した状態で左後方斜め上からみた斜視図である。
【００１３】
図１から図６に示すように、本発明の実施の形態における電子黒板装置１は、アッパーフレーム２ａ、ボトムフレーム２ｂ、ミドルフレーム２ｃ，２ｄから構成されるフレーム２に筆記媒体３が固定されており、この筆記媒体３上の画像を読み取り装置４が移動して読み取って電気信号に変換するものである。この電気信号は、ボトムフレーム２ｂに固定された操作部５の中の制御基板（図示せず。）に送られる。なお、フレーム２は、図１の左右両側に設けられたスタンド６によって支持されている。
【００１４】
ミドルフレーム２ｃは、アルミニウム製の押し出し成型材料により形成された筒形状の部材である。読み取り装置４の電気信号を送るケーブル７は、アッパーフレーム２ａ上からこのミドルフレーム２ｃ内を通り、ボトムフレーム２ｂに固定された操作部５内まで引き回される。なお、ミドルフレーム２ｃは、図１の縦方向に開口８を有しており、この開口８からケーブル７を内部に収容することができる。また、ケーブル７の収容後、開口８にはカバー９が設けられる。
【００１５】
このように、本実施の形態における電子黒板装置１では、アッパーフレーム２ａ、ボトムフレーム２ｂおよびこれらの間を連結するミドルフレーム２ｃ，２ｄにより構成されるフレーム２内に固定された筆記媒体３上の画像を読み取り装置４が移動して読み取り、この読み取った電気信号をアッパーフレーム２ａからボトムフレーム２ｂまで引き回されたケーブル７により送る方式の電子黒板装置１において、ミドルフレーム２ｃが、ケーブル７を内部に収容可能な筒形状の部材により形成されたものであり、ケーブル７が、ミドルフレーム２ｃの内部に収容されたものであることを特徴とする。
【００１６】
これにより、ケーブル７がミドルフレーム２ｃに収容され、保護されるので、従来の樹脂製のカバー１０６が不要となり、ケーブル７の引き回しのための部品点数を削減できるとともに、電気的な信頼性が強化された電子黒板装置１が得られる。
【産業上の利用可能性】
【００１７】
本発明は、読み取り装置が移動して筆記媒体上の画像を読み取る方式の電子黒板装置として有用である。特に、本発明の電子黒板装置は、ケーブルの引き回しのための部品点数を削減するとともに電気的な信頼性を強化したものとして好適である。
【図面の簡単な説明】
【００１８】
【図１】本発明の実施の形態における電子黒板装置の正面図
【図２】本発明の実施の形態における電子黒板装置の左側面図
【図３】図１のＡ−Ａ線断面図
【図４】図３のカバーを外した状態を示すＡ−Ａ線断面図
【図５】図１の電子黒板装置を図３のカバーを外した状態で左前方斜め上からみた斜視図
【図６】図１の電子黒板装置を図３のカバーを外した状態で左後方斜め上からみた斜視図
【図７】従来の読み取り装置が移動する方式の電子黒板装置の正面図
【図８】従来の読み取り装置が移動する方式の電子黒板装置を左後方斜め上からみた斜視図
【図９】図７のＢ−Ｂ線断面図
【符号の説明】
【００１９】
１    電子黒板装置
２    フレーム
２ａ    アッパーフレーム
２ｂ    ボトムフレーム
２ｃ，２ｄ    ミドルフレーム
３    筆記媒体
４    読み取り装置
５    操作部
６    スタンド
７    ケーブル
８    開口
９    カバー
【図１】
2007268903.tif 000003
【図２】
2007268903.tif 000004
【図３】
2007268903.tif 000005
【図４】
2007268903.tif 000006
【図５】
2007268903.tif 000007
【図６】
2007268903.tif 000008
【図７】
2007268903.tif 000009
【図８】
2007268903.tif 000010
【図９】
2007268903.tif 000011